(57)【特許請求の範囲】
【請求項１】
デジタル放送信号を受信するための受信手段と、
受信したデジタル放送信号を、映像信号と音声信号とデータ放送内容に分離するための分離手段と、
分離した映像信号と音声信号とデータ放送内容について復号処理を行うための復号手段と、
復号処理を行った結果に基づいて元の映像信号と音声信号に変換するための変換手段と、
変換後の映像信号と音声信号を出力するための出力手段と、
出力した映像信号と音声信号を表示するための表示手段と、
前記分離したデータ放送内容が入力される制御手段と、
前記制御手段に対して操作者が指示を行うための指示手段と、
を有するデジタル放送受信機において、
前記制御手段は、前記指示手段による指示があった時点における映像信号を静止画像として記憶し、取り込み、
前記静止画像に関するデータ放送内容を記憶し、取り込むとともに、
前記表示手段における視聴番組表示エリアを縮小し、空いた視聴番組表示エリアには前記指示手段による指示を行った時点における静止画像を表示し、その後、
前記表示された静止画像のポインタ位置を確定し、
前記ポインタ位置により確定された位置座標に基づいて、該位置座標に存在する、取り込まれた前記データ放送内容を取得することを特徴とするデジタル放送受信機。
【請求項２】
前記データ放送内容取得手段により取得したデータ放送内容を、少なくとも前記視聴番組表示エリアおよび前記静止画像を表示するエリアとは別の表示エリアに表示するためのデータ放送内容表示手段とを備えたことを特徴とする請求項１記載のデジタル放送受信機。
【発明の詳細な説明】
【０００１】
【発明の属する技術分野】
本発明は、受信したデジタル放送信号に基づいて静止画像を表示するとともに、表示された静止画像に関する詳細な情報を得ることが可能なデジタル放送受信機に関する。
【０００２】
【従来の技術】
従来、デジタル放送により送信されてくるデータを活用する場合に、放送局から送信されてくるデータに基づいて画面を構成して表示していた。
例えば、特開平１１−７５１６４号公報には、静止画像情報提供サービスを実現するための技術が提案されている。この技術は、デジタル放送の送信装置から繰り返し送信されるデジタル圧縮された複数の静止画像データを受信し、現在表示している静止画像の次に選択され得る静止画像データが主記憶部に格納されていなければ、利用者による選択操作があるまでの間に、その静止画像データを主記憶部に格納し、利用者の選択操作があれば選択された静止画像データをデコーダで伸張して、その静止画像をＴＶ出力するものである。
【０００３】
【発明が解決しようとする課題】
しかしながら、特開平１１−７５１６４号公報に開示された技術は、予め定められたメニューに従い、放送局から送られてくるデータを選択し、当該データに関する画面が表示されるまでの時間を短縮することを目的としたものであり、視聴者が特定する情報を提供するものではない。
このため、視聴者が番組を視聴中に、画面に表示される人物、風景、動物、植物などついて、所望の情報を得ることはできなかった。
【０００４】
本発明は、上述した事情に鑑み提案されたもので、視聴者が番組を視聴中に、画面表示されたデータに関する所望の情報を得ることができるデジタル放送受信機を提供することを目的とする。
【０００５】
【課題を解決するための手段】
本発明に係るデジタル放送受信機は、デジタル放送信号を受信するための受信手段と、受信したデジタル放送信号を、映像信号と音声信号とデータ放送内容に分離するための分離手段と、分離した映像信号と音声信号とデータ放送内容について復号処理を行うための復号手段と、復号処理を行った結果に基づいて元の映像信号と音声信号に変換するための変換手段と、変換後の映像信号と音声信号を出力するための出力手段と、出力した映像信号と音声信号を表示するための表示手段と、前記分離したデータ放送内容が入力される制御手段と、前記制御手段に対して操作者が指示を行うための指示手段と、を有するデジタル放送受信機において、
前記制御手段は、前記指示手段による指示があった時点における映像信号を静止画像として記憶し、取り込み、前記静止画像に関するデータ放送内容を記憶し、取り込むとともに、前記表示手段における視聴番組表示エリアを縮小し、空いた視聴番組表示エリアには前記指示手段による指示を行った時点における静止画像を表示し、その後、前記表示された静止画像のポインタ位置を確定し、前記ポインタ位置により確定された位置座標に基づいて、該位置座標に存在する、取り込まれた前記データ放送内容を取得することを特徴とするものである。
【０００６】
また、前記デジタル放送受信機において、前記データ放送内容取得手段により取得したデータ放送内容を、少なくとも前記視聴番組表示エリアおよび前記静止画像を表示するエリアとは別の表示エリアに表示するためのデータ放送内容表示手段とを備えることが可能である。
【０００７】
【発明の実施の形態】
以下、図面に基づいて、本発明に係るデジタル放送受信機の実施形態を説明する。
【０００８】
＜デジタル放送受信機の構成＞
図１は、本発明の実施形態に係るデジタル放送受信機の概略構成を示すブロック図である。
本発明の実施形態に係るデジタル放送受信機１００は、図１に示すように、チューナ部１０１、復調処理部１０２、映像音声Ｄ／Ａ部１０３、制御部１０４、操作部１０５、リモコンの受光部１０６、および回線Ｉ／Ｆ１０７を備えている。
【０００９】
このデジタル放送受信機１００では、放送局から送信されてくるデジタル放送信号は、アンテナを介してチューナ部１０１で受信され、データストリームとして、復調処理部１０２に入力される。復調処理部１０２では、データストリームを解析して、映像信号、音声信号、およびデータ放送内容に分離する。
【００１０】
ここで、映像信号と音声信号は、映像音声Ｄ／Ａ部１０３に入力され、それぞれの映像出力信号および音声出力信号として外部に出力される。
また、データ放送内容は、制御部１０４に入力されて、記述内容に準じて画面が構成され、再度、復調処理部１０２に入力されて、映像、音声データに重畳された後、映像音声Ｄ／Ａ部１０３に入力されて、データ放送内容の画面が表示される。
【００１１】
操作部１０５では、操作者の指示によりデジタル放送受信機１００を制御する信号が生成され、その内容が制御部１０４に入力される。同様に、リモコンの受光部１０６では、リモコン送信機から送信されてくるデータを受信し、その内容が制御部１０４に入力される。そして、制御部１０４により、デジタル放送受信機１００全体の制御が行われる。
【００１２】
また、本実施形態に係るデジタル放送受信機１００は、デジタル放送を行っているテレビ局や管理センター等に対して、個人情報や端末情報を送受信するための回線Ｉ／Ｆ１０７を備えており、電話回線等の公衆回線接続を介してテレビ局や管理センター等に接続される。
【００１３】
＜静止画像の表示＞
次に、静止画像の表示について説明する。
視聴者は、番組を視聴中に、操作部１０５もしくはリモコン等を操作して、所望の場面を取り込むための指示を与えることができる。このとき、デジタル放送受信機１００は、指示があった時点における画面データを静止画像として記憶し、制御部１０４に取り込むとともに、画面に表示される内容に関する付帯情報を制御部１０４に取り込む。
制御部１０４に取り込まれた静止画像は、復調処理部１０２に入力される。そして、現在視聴中の番組の表示エリアを縮小し、空いた個所に静止画像を表示するとともに、当該静止画像上の位置を確定させるためのポインタを表示させる。
【００１４】
静止画像の具体的な表示例を、図２に示す。
図２において、２０１は現在視聴中の番組の表示エリア、２０２は静止画像の表示エリア、２０３は静止画像上の位置を確定するためのポインタである。
現在視聴中の番組の表示エリア２０１には動画が表示され、静止画像の表示エリア２０２には指示を行った時点における静止画像が表示される。また、静止画像の表示エリア２０２に重畳して、静止画像の位置を確定するためのポインタ２０３が表示される。
【００１５】
＜付帯情報（データ放送内容）の表示＞
次に、画面に表示された静止画像に関する付帯情報（データ放送内容）の表示について説明する。操作部１０５もしくはリモコン等を操作してポインタ２０３を移動させ、静止画像内の特定個所を指示すると、ポインタ２０３で確定した座標もしくは座標データに関連するインデックス情報に基づいて、制御部１０４に格納されている付帯情報（データ放送内容）を検索する。そして、付帯情報（データ放送内容）が復調処理部１０２に入力され、映像音声Ｄ／Ａ部１０３を介して表示される。
【００１６】
付帯情報（データ放送内容）の具体的な表示例を、図３に示す。
図３において、２０１は現在視聴中の番組の表示エリア、２０２は静止画像の表示エリア、２０３は静止画像上の位置を確定するためのポインタ、３０１はポインタで指示を行った個所の付帯情報（データ放送内容）表示エリア、３０２は付帯情報（データ放送内容）表示エリア３０１に表示しきれない場合に続きがあることを示す次画面表示矢印である。
【００１７】
ポインタ２０３により静止画像内の特定個所を指示すると、ポインタ２０３で指示された個所についての説明が付帯情報（データ放送内容）表示エリア３０１に表示される。ここで、その説明が大量にあり、付帯情報（データ放送内容）表示エリア３０１内に収まりきれない場合には、さらに続きがあることを示す次画面表示矢印３０２が表示される。
【００１８】
＜システム制御の手順＞
図４は、本実施形態に係るデジタル放送受信機におけるシステム制御の流れを示すフローチャートである。
本実施形態に係るデジタル放送受信機１００では、図４に示すように、番組視聴中に取り込み指示があると（Ｓ４０１）、現在視聴中の番組の表示エリアを縮小表示し（Ｓ４０２）、取り込んだ画面を静止画として表示するとともに、取り込んだ画面に関連する付帯情報（データ放送内容）を制御部に記憶する（Ｓ４０３）。
【００１９】
続いて、静止画像上に位置を確定するためのポインタを表示する（Ｓ４０４）。ここで、視聴者の操作により、静止画上にポインタが移動されて位置が確定すると（Ｓ４０５）、その座標を読み取って確定し（Ｓ４０６）、画面に表示するインデックス情報を確定する（Ｓ４０７）。
続いて、確定した内容に合致するデータを、制御部１０４内に格納された付帯情報（データ放送内容）から検索し（Ｓ４０８）、検索結果を付帯情報（データ放送内容）表示エリアに表示する（Ｓ４０９）。
【００２０】
【発明の効果】
本発明に係るデジタル放送受信機は、上述した構成を備えているため、以下の効果を奏することができる。
すなわち、本発明に係るデジタル放送受信機によれば、画面の一部として表示された静止画像に対して画面上の位置を指示し、当該指示位置の静止画像に関する付帯情報（データ放送内容）を表示することにより、視聴者が番組を視聴中に、画面表示された静止画像に関する所望の情報を得ることができ、放送データの利用価値および利便性を高めることができる。
【図面の簡単な説明】
【図１】本発明の実施形態に係るデジタル放送受信機の概略構成を示すブロック図である。
【図２】静止画像の具体的な表示例を示す模式図である。
【図３】付帯情報の具体的な表示例を示す模式図である。
【図４】本実施形態に係るデジタル放送受信機におけるシステム制御の流れを示すフローチャートである。
【符号の説明】
１００  デジタル放送受信機
１０１  チューナ部
１０２  復調処理部
１０３  映像音声Ｄ／Ａ部
１０４  制御部
１０５  操作部
１０６  受光部
１０７  回線Ｉ／Ｆ
２０１  現在視聴中の番組の表示エリア
２０２  静止画像の表示エリア
２０３  ポインタ
３０１  付帯情報表示エリア
３０２  次画面表示矢印
【図１】
0003862573.tif 000002
【図２】
0003862573.tif 000003
【図３】
0003862573.tif 000004
【図４】
0003862573.tif 000005